(57)【要約】【課題】端末情報管理部およびユーザによる事前登録が不要で、かつＨＳＳおよびＣＳＣＦとの制御信号の送受信が不能の場合において、移動端末間の通話可能範囲を、ＲＮＣに対し広範囲とする移動通信ネットワークを提供することにある。【解決手段】本発明の移動交換局２００はＩＭＳ網１と、無線アクセス網２との間に配置され、移動端末間の呼制御信号を各々相互変換して、ＩＭＳ網と、無線アクセス網との間の呼制御信号の送受信を中継し、自局の制御下の移動端末に関する加入者情報および移動端末の位置情報を示すエリア情報を一時的に格納するＶＬＲと、ＶＬＲに格納する情報をもとに無線アクセス網における呼制御を行うＲＡＮ呼制御装置と、を備え、ＩＭＳ網における通信障害発生の有無を判断し、通信障害が発生したと判断すると、制御信号の送信先をＩＭＳ網からＲＡＮ呼制御装置に切り替える制御部を備える。【選択図】図１
2015050510.tif 000002
【特許請求の範囲】
【請求項１】
ＩＭＳ網と、無線アクセス網との間に配置され、
移動端末間の通話制御である呼制御を行うための制御信号である呼制御信号を各々相互変換して、前記ＩＭＳ網と、前記無線アクセス網との間の前記呼制御信号の送受信を中継し、
自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、
前記移動交換局は、前記ＩＭＳ網における通信障害発生の有無を判断し、前記通信障害が発生したと判断すると、前記制御信号の送信先を前記ＩＭＳ網から前記ＲＡＮ呼制御装置に切り替える制御部を備える
ことを特徴とする移動交換局。
【請求項２】
前記ＩＭＳ網から所定の時間内に前記呼制御信号が受信できない時、または前記ＩＭＳ網から処理エラーを示す前記呼制御信号を受信した時、に前記通信障害が発生したと判断する
ことを特徴とする請求項１に記載の移動交換局。
【請求項３】
前記ＩＭＳ網は前記ＩＭＳ網内部に全ての前記加入者情報および全ての前記エリア情報を格納するＨＳＳを配置し、
前記受信できない前記呼制御信号が、前記ＨＳＳからの前記エリア情報の登録完了または更新完了を示す前記呼制御信号、あるいは特定の前記移動端末を呼び出す前記呼制御信号である発呼信号の送信に対する処理完了を示す前記呼制御信号である
ことを特徴とする請求項２に記載の移動交換局。
【請求項４】
前記処理エラーが前記発呼信号に対する処理エラーである
ことを特徴とする請求項２に記載の移動交換局。
【請求項５】
ＩＭＳ網と、無線アクセス網との間に配置され、
移動端末間の通話制御である呼制御を行うための制御信号である呼制御信号を各々相互変換して、前記ＩＭＳ網と、前記無線アクセス網との間の前記呼制御信号の送受信を中継し、
自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、
前記移動交換局は、前記ＩＭＳ網における通信障害発生の有無を判断し、発生した前記通信障害の障害事象を時系列順に記憶し、前記障害事象が同じで、かつ連続した所定の回数になると、前記制御信号の送信先を前記ＩＭＳ網から前記ＲＡＮ呼制御装置に切り替える制御部を備える
ことを特徴とする移動交換局。
【請求項６】
前記ＩＭＳ網から所定の時間内に前記呼制御信号が受信できない時、または前記ＩＭＳ網から処理エラーを示す前記呼制御信号を受信した時、に前記通信障害が発生したと判断する
ことを特徴とする請求項３に記載の移動交換局。
【請求項７】
前記ＩＭＳ網は前記ＩＭＳ網内部に全ての前記加入者情報および全ての前記エリア情報を格納するＨＳＳを配置し、
前記受信できない前記呼制御信号が、前記ＨＳＳからの前記エリア情報の登録完了または更新完了を示す前記呼制御信号、あるいは特定の前記移動端末を呼び出す前記呼制御信号である発呼信号の送信に対する処理完了を示す前記呼制御信号である
ことを特徴とする請求項６に記載の移動交換局。
【請求項８】
前記処理エラーが前記発呼信号に対する処理エラーである
ことを特徴とする請求項６に記載の移動交換局。
【請求項９】
請求項１乃至請求項８のいづれかに記載の移動交換局を備える移動通信ネットワーク。
【発明の詳細な説明】
【技術分野】
【０００１】
本発明は、無線アクセス網（ＲＡＮ：Ｒａｄｉｏ  Ａｃｃｅｓｓ  Ｎｅｔｗｏｒｋ）とＩＭＳ網との間に配置する移動交換局およびこれらで構成される移動通信ネットワークに関する。
【背景技術】
【０００２】
ＭＳＣ（Ｍｏｂｉｌｅ  Ｓｗｉｔｃｈｉｎｇ  Ｃｅｎｔｅｒ：移動体交換局）が呼制御を行う移動通信ネットワークにおける基幹網は、電話の場合が回線交換網であり、電話以外の通信の場合がＩＰ網であった。通信技術の進歩などにより、回線交換網はＩＰ（Ｉｎｔｅｒｎｅｔ  Ｐｒｏｔｏｃｏｌ）化され、基幹網はＩＰ網に統合されつつあり、さらに多様な機器との多様な通信への対応などのためにＩＭＳ（ＩＰ  Ｍｕｌｔｉｍｅｄｉａ  Ｓｕｂｓｙｓｔｅｍ）化が進みつつある。しかし、移動通信ネットワーク全体を一気にＩＭＳ化するには費用などの問題があり、基幹網から徐々に進んでいて、その例を図１に示す。
【０００３】
図１に示すように、基幹網がＩＭＳ化された移動通信ネットワークでは、ＩＭＳ網（ＩＭＳで構築された通信ネットワーク）１００の内部にＨＳＳ（Ｈｏｍｅ  Ｓｕｂｓｃｒｉｂｅｒ  Ｓｅｒｖｅｒ）１０１を備え、全ての端末に関する加入者情報（電話番号やサービスなどの契約情報）およびエリア情報（一般にロケーションエリアと呼ばれ、端末が存在する所定の範囲を示す情報）を格納する。ＩＭＳ網における通話を制御する呼制御（ＩＭＳ呼制御）は、ＣＳＣＦ（Ｃａｌｌ  Ｓｅｓｓｉｏｎ  Ｃｏｎｔｒｏｌ  Ｆｕｎｃｔｉｏｎ）と呼ばれるＳＩＰ（Ｓｅｓｓｉｏｎ  Ｉｎｉｔｉａｔｉｏｎ  Ｐｒｏｔｏｃｏｌ）サーバ（ＣＳＣＦ１０２）が行う。
【０００４】
基幹網がＩＭＳ化された移動通信ネットワークではＭＳＣ２００に対し、ＩＭＳ網の呼制御信号（ＩＭＳ呼制御信号）を無線アクセス網の呼制御信号（ＲＡＮ呼制御信号）に相互変換し、中継する機能を追加することで、既存の装置であるＲＮＣ（Ｒａｄｉｏ  Ｎｅｔｗｏｒｋ  Ｃｏｎｔｒｏｌｌｅｒ：無線基地局制御装置）（３０１、３０２）と基地局（図示せず）と移動端末（４０１、５０１）とにおいて、変更を行うことなく、既存の移動端末は通話を行うことができている。
【０００５】
基幹網がＩＭＳ化された移動通信ネットワークでは、例えば、ＩＭＳ網１００に障害が発生し、ＨＳＳ１０１またはＣＳＣＦ１０２とにおいてＩＭＳ呼制御信号のやりとりが不能となると、ＭＳＣ２００から移動端末までが正常な状態であっても、通話を行うことができなかった。例えば、同一のＭＳＣ２００が制御する移動端末間（４０１、５０１）において、通話を行うことができなかった。
【０００６】
通信路障害等が発生した場合に、通話を行う手段が特許文献１に開示され、その例を図７に示す。特許文献１では図１に対し、端末情報管理部６００が追加され、通信障害発生時に通話を行う端末情報を端末情報管理部６００にユーザが事前登録することで、端末情報を登録した端末情報管理部６００を備える所定のＲＮＣ３００内において通話を行う手段が開示されている。
【先行技術文献】
【特許文献】
【０００７】
【特許文献１】特開２００７−２５９２０５
【発明の概要】
【発明が解決しようとする課題】
【０００８】
前述の通り、ＩＭＳ網に障害が発生し、ＨＳＳまたはＣＳＣＦとの制御信号の送受信が不能となると、ＭＳＣから移動端末までが正常な状態であっても、通話を行うことができなかった。
【０００９】
特許文献１では、端末情報管理部が必要で、かつ対象の端末を予め登録しておく必要があり、手間がかかった。また、通話範囲が端末を登録した端末情報管理部を備える所定のＲＮＣの制御範囲であった。
【００１０】
これらを鑑み、本発明の目的は、端末情報管理部およびユーザによる事前登録が不要で、かつＨＳＳおよびＣＳＣＦとの制御信号の送受信が不能の場合において、移動端末間の通話可能範囲を、ＲＮＣに対し広範囲とする移動通信ネットワークを提供することである。
【課題を解決するための手段】
【００１１】
本発明の移動交換局は、ＩＭＳ網と、無線アクセス網との間に配置され、移動端末間の通話制御である呼制御を行うための制御信号である呼制御信号を各々相互変換して、前記ＩＭＳ網と、前記無線アクセス網との間の前記呼制御信号の送受信を中継し、自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、前記移動交換局は、前記ＩＭＳ網における通信障害発生の有無を判断し、前記通信障害が発生したと判断すると、前記制御信号の送信先を前記ＩＭＳ網から前記ＲＡＮ呼制御装置に切り替える制御部を備えることを特徴とする。
【００１２】
本発明の移動交換局は、ＩＭＳ網と、無線アクセス網との間に配置され、移動端末間の通話制御である呼制御を行うための制御信号である呼制御信号を各々相互変換して、前記ＩＭＳ網と、前記無線アクセス網との間の前記呼制御信号の送受信を中継し、自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、前記移動交換局は、前記ＩＭＳ網における通信障害発生の有無を判断し、発生した前記通信障害の障害事象を時系列順に記憶し、前記障害事象が同じで、かつ連続した所定の回数になると、前記制御信号の送信先を前記ＩＭＳ網から前記ＲＡＮ呼制御装置に切り替える制御部を備えることを特徴とする。
【００１３】
本発明の移動通信ネットワークは、移動交換局を備え、前記移動交換局は、ＩＭＳ網と、無線アクセス網との間に配置され、移動端末間の通話制御である呼制御を行うための制御信号である呼制御信号を各々相互変換して、前記ＩＭＳ網と、前記無線アクセス網との間の前記呼制御信号の送受信を中継し、自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、前記移動交換局は、前記ＩＭＳ網における通信障害発生の有無を判断し、前記通信障害が発生したと判断すると、前記制御信号の送信先を前記ＩＭＳ網から前記ＲＡＮ呼制御装置に切り替える制御部を備えることを特徴とする。
【００１４】
本発明の移動通信ネットワークは、移動交換局を備え、前記移動交換局は、ＩＭＳ網と、無線アクセス網との間に配置され、移動端末間の通話制御である呼制御を行うための制御信号である呼制御信号を各々相互変換して、前記ＩＭＳ網と、前記無線アクセス網との間の前記呼制御信号の送受信を中継し、自局の制御下の前記移動端末に関する加入者情報および前記移動端末の位置情報を示すエリア情報を一時的に格納するＶＬＲと、前記ＶＬＲに格納する情報をもとに前記無線アクセス網における前記呼制御を行うＲＡＮ呼制御装置と、を備える移動交換局であって、前記移動交換局は、前記ＩＭＳ網における通信障害発生の有無を判断し、発生した前記通信障害の障害事象を時系列順に記憶し、前記障害事象が同じで、かつ連続した所定の回数になると、前記制御信号の送信先を前記ＩＭＳ網から前記ＲＡＮ呼制御装置に切り替える制御部を備えることを特徴とする。
【発明の効果】
【００１５】
本発明によれば、端末情報管理部およびユーザによる事前登録が不要で、かつＨＳＳおよびＣＳＣＦとの制御信号の送受信が不能の場合において、移動端末間の通話可能範囲を、ＲＮＣに対し広範囲とすることができる。
【図面の簡単な説明】
【００１６】
【図１】本実施形態および特許文献１に係る移動通信ネットワークの構成例を示す図である。
【図２】ＭＳＣ２００の内部構成と、制御信号の流れとの例を示す図である。
【図３】ＭＳＣ２００の内部構成と、制御信号の流れとの例を示す図である。
【図４】ＭＳＣ２００の内部構成と、制御信号の流れとの例を示す図である。
【図５】更新処理におけるＭＳＣ制御部２０８の動作例を示すフローチャート図である。
【図６】発呼制御におけるＭＳＣ制御部２０８の動作例を示すフローチャート図である。
【図７】特許文献１の構成例を示す図である。
【発明を実施するための形態】
【００１７】
以下に、本発明を実施するための形態について図面を用いて説明する。但し、以下に述べる実施形態には、本発明を実施するために技術的に好ましい限定がされているが、発明の範囲を限定するものではない。
【００１８】
図１は本実施形態に係る移動通信ネットワークの概略構成例を示す図である。
【００１９】
本実施形態に係る移動通信ネットワークは移動端末間の通話を制御する通信網であり、ＩＭＳ呼制御信号の送受信を行う基幹網１と、ＲＡＮ呼制御信号の送受信を行う無線アクセス網２で構成される。
【００２０】
基幹網１はＩＭＳ網１００で構成され、内部にＨＳＳ１０１と、ＣＳＣＦ１０２と、を備える。
【００２１】
ＩＭＳ網１００は、画像や動画などのマルチメディアのサービスを提供するためのＩＰをベースとした通信網であるが、本説明においては、通話に関する通信網に限定する。
【００２２】
ＨＳＳ１０１は全ての移動端末に関する加入者情報およびエリア情報を格納するデータベースである。
【００２３】
ＣＳＣＦ１０２は本ネットワークにおいてＩＭＳ呼制御を行うＳＩＰサーバである。
【００２４】
無線アクセス網２は、ＲＮＣ３０１、３０２と、基地局（図示せず）と、移動端末４０１、５０１とで構成される通信網であって、例えば、第３世代（３Ｇ）移動通信ネットワークである。
【００２５】
ＲＮＣ（３０１、３０２）は、１以上の基地局を制御する基地局制御装置である。
【００２６】
移動端末（４０１、５０１）は、ＲＡＮ呼制御信号において通話を行う携帯電話やスマートフォンなどである。
【００２７】
ＭＳＣ２００は移動交換局であって、詳細を説明する。
【００２８】
図２〜図４は図１のＭＳＣ２００の内部構成と、呼制御信号およびデータの流れとの例を示す図であり、図２〜図４における違いは呼制御信号（データ含む）の流れである。
【００２９】
図２〜図４において、ＭＳＣ２００は対ＲＮＣ＿ＩＦ２０１および２０２と、対ＣＳＣＦ＿ＩＦ２０３と、対ＨＳＳ＿ＩＦ２０４と、呼制御変換装置２０５と、ＶＬＲ（Ｖｉｓｉｔｅｒ  Ｌｏｃａｔｉｏｎ  Ｒｅｇｉｓｔｅｒ）２０６と、ＲＡＮ呼制御装置２０７と、ＭＳＣ制御部２０８とから構成されている。
【００３０】
対ＲＮＣ＿ＩＦ２０１および２０２は、ＲＮＣに対する共用のインターフェース装置である。本説明では、対ＲＮＣ＿ＩＦ２０１をＲＮＣ３０１のインターフェース装置とし、対ＲＮＣ＿ＩＦ２０２をＲＮＣ３０２のインターフェース装置とする。
【００３１】
対ＣＳＣＦ＿ＩＦ２０３および対ＨＳＳ＿ＩＦ２０４は、ＩＭＳ網に対する共用のインターフェース装置である。本説明においては、対ＣＳＣＦ＿ＩＦ２０３をＣＳＣＦ１０２のインターフェース装置とし、対ＨＳＳ＿ＩＦ２０４をＨＳＳ１０１のインターフェース装置とする。
【００３２】
呼制御変換装置２０５はＲＡＮ呼制御信号とＩＭＳ呼制御信号とを各々相互変換し、ＩＭＳ網と、無線アクセス網との間の呼制御信号の送受信を中継する装置である。
【００３３】
ＶＬＲ２０６は自ＭＳＣが制御対象とする移動端末の加入者情報および加入者情報に関連付けてエリア情報を一時的に格納する既存のデータベースであり、例えば、第３世代（３Ｇ）移動通信ネットワークにおけるＶＬＲである。
【００３４】
ＲＡＮ呼制御装置２０７は無線アクセス網の呼制御を行う既存の装置であり、例えば、第３世代（３Ｇ）移動通信ネットワークにおける呼制御装置である。
【００３５】
ＭＳＣ制御部２０８はＭＳＣ２００全体を制御し、ＶＬＲに格納するエリア情報を更新したり、新規の場合はＨＳＳに加入者情報を要求して格納したり、呼制御信号を判断して呼制御信号の送信先を切り替えたり、する部位である。また、ＩＭＳ網１００との通信状態を判断し、呼制御信号の送信先を、正常な場合は呼制御変換装置２０５に、異常な場合はＲＡＮ呼制御装置２０７に、切り替える機能を備える。
【００３６】
次に、制御信号の流れについて説明する。
図２は移動端末４０１のエリア情報の更新処理における呼制御信号の流れの例を示す図である。
【００３７】
移動端末４０１がエリア情報の異なる場所に移動すると、ＭＳＣ２００は電話番号などの移動端末４０１を特定する端末情報と、移動端末４０１のエリア情報と、エリア情報の更新要求と、をＲＮＣ３０１から受信する（２ａ）。
【００３８】
ＭＳＣ制御部２０８は受信した端末情報をもとにＶＬＲに格納している移動端末４０１の加入者情報を探し出し、関連付いているエリア情報を更新する（２ｂ）。
【００３９】
ＭＳＣ制御部２０８は受信したこれらの情報と、更新要求とを、呼制御変換装置２０５に送信する（２ｃ）。
【００４０】
呼制御変換装置２０５は変換した情報と、更新要求とを、ＨＳＳ１０１に送信する（２ｄ、２ｅ）。
【００４１】
その後、ＭＳＣ２００は更新完了の呼制御信号をＨＳＳ１０１から受信する（２ｆ、２ｇ）ことで、ＭＳＣ制御部２０８はＨＳＳ１０１との通信状態が正常であることを判断する。
【００４２】
図３は通常（正常）時において、移動端末４０１が移動端末５０１を呼び出す際の呼制御信号の流れの例を示す図である。
【００４３】
移動端末４０１が移動端末５０１を呼び出すと、ＭＳＣ２００が、「４０１→５０１−ＲＡＮ発呼」（移動端末４０１が移動端末５０１を呼び出す（発呼）際のＲＡＮ呼制御信号）を受信する（３ａ）。
【００４４】
ＭＳＣ制御部２０８は受信した「４０１→５０１−ＲＡＮ発呼」を呼制御変換装置２０５に送信する（３ｂ）。
【００４５】
呼制御変換装置２０５はＲＡＮ呼制御信号をＩＭＳ呼制御信号に変換し、変換した「４０１→５０１−ＩＭＳ発呼」（移動端末４０１が移動端末５０１を呼び出す際のＩＭＳ呼制御信号）を、ＣＳＣＦ１０２に送信する（３ｃ、３ｄ）。
【００４６】
ＣＳＣＦ１０２において発呼制御され、移動端末５０１がＲＮＣ３０２の制御下であるため、ＭＳＣ２００は再び「４０１→５０１−ＩＭＳ発呼」を受信する（３ｅ）。
【００４７】
ＭＳＣ制御部２０８は「４０１→５０１−ＩＭＳ発呼」を呼制御変換装置２０５に送信する（３ｆ）。
【００４８】
呼制御変換装置２０５は「４０１→５０１−ＩＭＳ発呼」を「４０１→５０１−ＲＡＮ発呼」に変換し、ＲＮＣ３０２に送信する（３ｇ、３ｈ）。
【００４９】
その後、ＲＮＣ３０２を介して、移動端末５０１が「４０１→５０１−ＲＡＮ発呼」を受信し、移動端末５０１は着信音を発する。そして、移動端末５０１の通話ボタンが押されると、着呼制御（移動端末５０１が呼び出しに応じ、通話を成立させる呼制御）が行われ、移動端末４０１と移動端末５０１との通話が可能となる。
【００５０】
図４は障害発生（切替）後において、移動端末４０１が移動端末５０１を呼び出す呼制御信号の流れの例を示す図である。
【００５１】
通常時と同様に、移動端末４０１が移動端末５０１を呼び出すと、ＭＳＣ２００が「４０１→５０１−ＲＡＮ発呼」を受ける（４ａ）。
【００５２】
ＭＳＣ制御部２０８は「４０１→５０１−ＲＡＮ発呼」をＲＡＮ呼制御装置２０７に送信する（４ｂ）。
【００５３】
ＲＡＮ呼制御装置２０７はＶＬＲ２０６に格納されている移動端末５０１のエリア情報を抽出し、ＲＮＣ３０２の制御下であることを把握する（４ｃ）。
【００５４】
ＲＡＮ呼制御装置２０７は「４０１→５０１−ＲＡＮ発呼」をＲＮＣ３０２に送信する（４ｄ、４ｅ）。
【００５５】
通常時と同様に、ＲＮＣ３０２を介して、移動端末５０１が「４０１→５０１−ＲＡＮ発呼」を受信し、移動端末５０１は着信音を発する。そして、移動端末５０１の通話ボタンが押されると、着呼制御が行われ、移動端末４０１と移動端末５０１との通話が可能となる。
【００５６】
次に、本実施形態の動作について説明する。
【００５７】
本実施形態の動作のタイミングは、移動端末のエリア情報の更新処理と、移動端末の発呼の呼制御との２つがあり、前者を図５で、後者を図６で説明する。
【００５８】
図５は移動端末のエリア情報の更新処理におけるＭＳＣ制御部２０８の動作例を示すフローチャート図である。
【００５９】
前述の通り、ＭＳＣ制御部２０８は移動端末からのエリア情報の更新要求を受けると、ＶＬＲ２０６のエリア情報を更新する（Ｓ１０１）。
【００６０】
次に、呼制御変換装置２０５がＨＳＳ１０１に対しエリア情報の更新要求を送信し、
その更新結果をＭＳＣ制御部２０８が受信する（Ｓ１０２）。
【００６１】
ここで、予め設定した時間以内に更新結果が受信できなければ（ＨＳＳ１０１もしくは図１の１ａに障害発生）、ＭＳＣ制御部２０８は障害が発生（Ｓ１０３）したと判断し、呼制御を行う装置をＣＳＣＦ１０２からＲＡＮ呼制御装置２０７に切り替える（Ｓ１０４）。
【００６２】
図６は移動端末の発呼の呼制御におけるＭＳＣ制御部２０８の動作例を示すフローチャート図である。
【００６３】
前述の通り、ＭＳＣ制御部２０８は移動端末からの呼制御信号を受信すると、呼制御変換装置２０５に送信する（Ｓ２０１）。
【００６４】
次に、呼制御変換装置２０５は呼制御信号を変換してＣＳＣＦ１０２に呼制御信号を送信し、ＭＳＣ制御部２０８はＣＳＣＦ１０２から呼制御結果を受信する（Ｓ２０２）。
【００６５】
ここで、予め設定した時間以内に呼制御結果が受信できなかったり（ＣＳＣＦ１０２もしくは図１の１ｂに障害発生）、エラーの呼制御結果（ＨＳＳ１０１もしくは図１の１ｃに障害発生）を受信すると、ＭＳＣ制御部２０８は障害が発生（Ｓ２０３）したと判断し、呼制御を行う装置をＣＳＣＦ１０２からＲＡＮ呼制御装置２０７に切り替える（Ｓ２０４）。
【００６６】
障害発生（切替）後は、前述のように、ＲＡＮ呼制御装置２０７によりＭＳＣ２００の制御下の移動端末間において通話が可能となる。
【００６７】
以上のように、本発明によれば、端末情報管理部およびユーザによる事前登録が不要で、かつＨＳＳおよびＣＳＣＦとの制御信号の送受信が不能の場合において、移動端末間の通話可能範囲を、ＲＮＣに対し広範囲とすることができる。
【００６８】
また、ＲＡＮ呼制御装置２０７への切替を、同一事象の障害発生が連続した所定の回数となった時とすると、切替のタイミングを自然災害などでの長期障害時に限定することができる。
【符号の説明】
【００６９】
１    基幹網
２    無線アクセス網
１００    ＩＭＳ網
１０１    ＨＳＳ
１０２    ＣＳＣＦ
２００    ＭＳＣ
２０１、２０２    対ＲＮＣ＿ＩＦ
２０３    対ＣＳＣＦ＿ＩＦ
２０４    対ＨＳＳ＿ＩＦ
２０５    呼制御変換装置
２０６    ＶＬＲ
２０７    ＲＡＮ呼制御装置
２０８    ＭＳＣ制御部
３０１、３０２    ＲＮＣ
４０１    移動端末
５０１    移動端末
【図１】
2015050510.tif 000003
【図２】
2015050510.tif 000004
【図３】
2015050510.tif 000005
【図４】
2015050510.tif 000006
【図５】
2015050510.tif 000007
【図６】
2015050510.tif 000008
【図７】
2015050510.tif 000009